(57)【特許請求の範囲】
【請求項１】
通信回線を介して送信される信号を受信する受信部と、
前記受信部にて受信された前記信号の受入れを制限する複数段階の受入制限レベルの中から一の当該受入制限レベルを設定する受入制限設定手段と、
前記受入制限設定手段にて設定された前記受入制限レベルに応じた前記信号の受入処理を行う受入処理手段とを備え、
前記受入制限設定手段により設定される前記受入制限レベルは、前記受入処理手段への電力供給状態を変更することにより実現されることを特徴とする通信装置。
【請求項２】
前記受入制限レベルは、消費電力を低く維持する第１の通信モードである通信禁止モードと、第２の通信モードである暗号化モードと、第３の通信モードであるスリープ通信モードとを有することを特徴とする請求項１記載の通信装置。
【請求項３】
前記通信禁止モードは、ネットワークと前記受信部とを遮断し、全ての前記信号の受信を禁止することを特徴とする請求項２記載の通信装置。
【請求項４】
前記暗号化モードは、暗号化された信号だけを受け入れることを特徴とする請求項２記載の通信装置。
【請求項５】
前記スリープ通信モードは、前記通信装置に送信されるすべての信号を受け入れることを特徴とする請求項２記載の通信装置。
【請求項６】
前記受入制限設定手段は、前記受信部にて受信された前記信号に対して所定の時間帯毎に異なる前記受入制限レベルを設定することを特徴とする請求項１記載の通信装置。
【請求項７】
前記受入制限設定手段は、前記受信部にて受信されたすべての前記信号の受入拒否、所定の秘密鍵にて暗号化された当該信号の受入許可、およびすべての当該信号の受入許可を含む前記受入制限レベルを設定することを特徴とする請求項１記載の通信装置。
【請求項８】
前記受入制限設定手段は、ユーザからの指示に基づき前記受入制限レベルの設定変更を行うとともに、当該受入制限設定手段に対して当該受入制限レベルの設定変更を行う当該ユーザを認証するユーザ認証手段をさらに備え、
前記受入制限設定手段は、前記ユーザ認証手段にて認証された前記ユーザからの指示があった場合に前記受入制限レベルの設定変更を行うことを特徴とする請求項１記載の通信装置。
【請求項９】
前記受入制限設定手段にて前記受入制限レベルの設定変更が行われた際の履歴情報を記憶する履歴情報記憶部をさらに備えたことを特徴とする請求項１記載の通信装置。
【請求項１０】
コンピュータに、
通信回線を介して送信される信号を受信する受信機能と、
受信された前記信号の受入れを制限する複数段階の受入制限レベルの中から一の当該受入制限レベルを設定する受入制限設定機能と、
設定された前記受入制限レベルに応じた前記信号の受入処理を行う受入処理機能とを実現させ、
前記受入制限設定機能により設定される前記受入制限レベルは、前記受入処理機能への電力供給状態を変更させることにより実現することを特徴とするプログラム。
【請求項１１】
前記受入制限レベルを設定する機能は、受信された前記信号に対して所定の時間帯毎に異なる前記受入制限レベルを設定する機能を有することを特徴とする請求項１０記載のプログラム。
【請求項１２】
ユーザからの指示に基づき前記受入制限レベルの設定変更を行う機能と、当該受入制限レベルの設定変更を行う当該ユーザを認証する機能とをさらに有し、
前記受入制限レベルの設定変更を行う機能は、認証された前記ユーザからの指示があった場合に前記受入制限レベルの設定変更を行うことを特徴とする請求項１０記載のプログラム。
【請求項１３】
前記受入制限レベルの設定変更が行われた際の履歴情報を履歴情報記憶部に記憶させる機能をさらに有することを特徴とする請求項１０記載のプログラム。
【請求項１４】
通信回線に接続され、当該通信回線との間で信号の通信を行う通信部と、
前記通信部にて受信された前記信号が画像データである場合に当該画像データに基づき画像を形成する画像形成部と、
前記通信部にて受信された前記信号を処理する信号処理部とを備え、
前記通信部は、
前記通信回線を介して送信される信号を受信する受信部と、
前記受信部にて受信された前記信号の受入れを制限する複数段階の受入制限レベルの中から一の当該受入制限レベルを設定する受入制限設定手段と、
前記受入制限設定手段にて設定された前記受入制限レベルに応じた前記信号の受入処理を行う受入処理手段と、
前記受入処理手段にて受入れを許可された前記信号を前記信号処理部に転送する信号転送手段とを備え、
前記受入制限設定手段により設定される前記受入制限レベルは、前記受入処理手段および前記信号転送手段への電力供給状態を変更することにより実現されることを特徴とする画像形成装置。
【請求項１５】
前記受入制限設定手段は、当該画像形成装置に設けられた各部の動作を制御する制御部への電力供給が停止された動作状態に移行した場合に前記信号の前記受入制限レベルを設定することを特徴とする請求項１４記載の画像形成装置。
【請求項１６】
前記受入制限設定手段は、前記画像形成部での画像形成の頻度に応じて前記受入制限レベルを設定することを特徴とする請求項１４記載の画像形成装置。
【請求項１７】
前記受入制限設定手段は、前記画像形成部での前記画像形成の頻度を時間帯で区分し、当該時間帯に応じて前記受入制限レベルを設定することを特徴とする請求項１６記載の画像形成装置。
【請求項１８】
前記受入制限設定手段が前記受信部にて受信されたすべての前記信号の受入れを拒否する前記受入制限レベルを解除した場合に、前記通信回線に当該画像形成装置の識別情報を通知する識別情報通知手段をさらに備えたことを特徴とする請求項１４記載の画像形成装置。
【発明の詳細な説明】
【技術分野】
【０００１】
本発明は、通信装置、プログラム、および画像形成装置に関する。
【背景技術】
【０００２】
一般のオフィス等においては、パーソナルコンピュータ等の端末装置とプリンタ等の画像形成装置とをネットワーク環境下で接続して、画像形成装置の共有使用または選択使用を行うシステムが構築されている。このようなシステムでは、不特定の端末装置等から画像形成装置に対してネットワークを介し頻繁に信号が送信される。そのため、受信した信号がその画像形成装置にて処理の必要がないものであっても、信号を受信する度毎に画像形成装置内のＣＰＵが起動され、無駄な電力消費が発生する。そこで、ネットワークからの不特定の信号に起因する画像形成装置での電力消費の削減が求められている。
例えば特許文献１には、プリンタがノーマルモードからスリープモードに移行した場合には、ホストコンピュータのステータスモニタ(プリンタ状態管理プログラム)がプリンタへのポーリング動作を停止し、プリンタがスリープモードからノーマルモードに移行した場合には、ホストコンピュータのステータスモニタがプリンタへのポーリング動作を再開させ、プリンタ側の状態に応じてホストコンピュータ上のステータスモニタのプリンタへのポーリング動作を停止または再開するという技術が記載されている。
【０００３】
【特許文献１】特開２００６−２１５６８６号公報
【発明の開示】
【発明が解決しようとする課題】
【０００４】
ここで一般に、ネットワーク等の通信回線に接続された例えば画像形成装置等の機器に対して信号を送信する端末装置の中には、かかる機器が省電力状態にあることを解釈する機能を有しないものも含まれる。そのため、このような端末装置は通信回線に接続された機器が省電力状態にあっても例えばポーリングアクセス等を継続する。それにより、省電力状態にある機器内のＣＰＵが起動され、消費電力の削減が進まないという問題があった。
本発明は、通信回線に接続された機器における消費電力の低減を図ることを目的とする。
【課題を解決するための手段】
【０００５】
請求項１に記載の発明は、通信回線を介して送信される信号を受信する受信部と、前記受信部にて受信された前記信号の受入れを制限する複数段階の受入制限レベルの中から一の当該受入制限レベルを設定する受入制限設定手段と、前記受入制限設定手段にて設定された前記受入制限レベルに応じた前記信号の受入処理を行う受入処理手段とを備え、前記受入制限設定手段により設定される前記受入制限レベルは、前記受入処理手段への電力供給状態を変更することにより実現されることを特徴とする通信装置である。
【０００６】
請求項２に記載の発明は、前記受入制限レベルは、消費電力を低く維持する第１の通信モードである通信禁止モードと、第２の通信モードである暗号化モードと、第３の通信モードであるスリープ通信モードとを有することを特徴とする請求項１記載の通信装置である。
請求項３に記載の発明は、前記通信禁止モードは、ネットワークと前記受信部とを遮断し、全ての前記信号の受信を禁止することを特徴とする請求項２記載の通信装置である。
請求項４に記載の発明は、前記暗号化モードは、暗号化された信号だけを受け入れることを特徴とする請求項２記載の通信装置である。
請求項５に記載の発明は、前記スリープ通信モードは、前記通信装置に送信されるすべての信号を受け入れることを特徴とする請求項２記載の通信装置である。
請求項６に記載の発明は、前記受入制限設定手段は、前記受信部にて受信された前記信号に対して所定の時間帯毎に異なる前記受入制限レベルを設定することを特徴とする請求項１記載の通信装置である。
請求項７に記載の発明は、前記受入制限設定手段は、前記受信部にて受信されたすべての前記信号の受入拒否、所定の秘密鍵にて暗号化された当該信号の受入許可、およびすべての当該信号の受入許可を含む前記受入制限レベルを設定することを特徴とする請求項１記載の通信装置である。
請求項８に記載の発明は、前記受入制限設定手段は、ユーザからの指示に基づき前記受入制限レベルの設定変更を行うとともに、当該受入制限設定手段に対して当該受入制限レベルの設定変更を行う当該ユーザを認証するユーザ認証手段をさらに備え、前記受入制限設定手段は、前記ユーザ認証手段にて認証された前記ユーザからの指示があった場合に前記受入制限レベルの設定変更を行うことを特徴とする請求項１記載の通信装置である。
請求項９に記載の発明は、前記受入制限設定手段にて前記受入制限レベルの設定変更が行われた際の履歴情報を記憶する履歴情報記憶部をさらに備えたことを特徴とする請求項１記載の通信装置である。
【０００７】
請求項１０に記載の発明は、コンピュータに、通信回線を介して送信される信号を受信する受信機能と、受信された前記信号の受入れを制限する複数段階の受入制限レベルの中から一の当該受入制限レベルを設定する受入制限設定機能と、設定された前記受入制限レベルに応じた前記信号の受入処理を行う受入処理機能とを実現させ、前記受入制限設定機能により設定される前記受入制限レベルは、前記受入処理機能への電力供給状態を変更させることにより実現することを特徴とするプログラムである。
【０００８】
請求項１１に記載の発明は、前記受入制限レベルを設定する機能は、受信された前記信号に対して所定の時間帯毎に異なる前記受入制限レベルを設定する機能を有することを特徴とする請求項１０記載のプログラムである。
請求項１２に記載の発明は、ユーザからの指示に基づき前記受入制限レベルの設定変更を行う機能と、当該受入制限レベルの設定変更を行う当該ユーザを認証する機能とをさらに有し、前記受入制限レベルの設定変更を行う機能は、認証された前記ユーザからの指示があった場合に前記受入制限レベルの設定変更を行うことを特徴とする請求項１０記載のプログラムである。
請求項１３に記載の発明は、前記受入制限レベルの設定変更が行われた際の履歴情報を履歴情報記憶部に記憶させる機能をさらに有することを特徴とする請求項１０記載のプログラムである。
【０００９】
請求項１４に記載の発明は、通信回線に接続され、当該通信回線との間で信号の通信を行う通信部と、前記通信部にて受信された前記信号が画像データである場合に当該画像データに基づき画像を形成する画像形成部と、前記通信部にて受信された前記信号を処理する信号処理部とを備え、前記通信部は、前記通信回線を介して送信される信号を受信する受信部と、前記受信部にて受信された前記信号の受入れを制限する複数段階の受入制限レベルの中から一の当該受入制限レベルを設定する受入制限設定手段と、前記受入制限設定手段にて設定された前記受入制限レベルに応じた前記信号の受入処理を行う受入処理手段と、前記受入処理手段にて受入れを許可された前記信号を前記信号処理部に転送する信号転送手段とを備え、前記受入制限設定手段により設定される前記受入制限レベルは、前記受入処理手段および前記信号転送手段への電力供給状態を変更することにより実現されることを特徴とする画像形成装置である。
【００１０】
請求項１５に記載の発明は、前記受入制限設定手段は、当該画像形成装置に設けられた各部の動作を制御する制御部への電力供給が停止された動作状態に移行した場合に前記信号の前記受入制限レベルを設定することを特徴とする請求項１４記載の画像形成装置である。
請求項１６に記載の発明は、前記受入制限設定手段は、前記画像形成部での画像形成の頻度に応じて前記受入制限レベルを設定することを特徴とする請求項１４記載の画像形成装置である。
請求項１７に記載の発明は、前記受入制限設定手段は、前記画像形成部での前記画像形成の頻度を時間帯で区分し、当該時間帯に応じて前記受入制限レベルを設定することを特徴とする請求項１６記載の画像形成装置である。
請求項１８に記載の発明は、前記受入制限設定手段が前記受信部にて受信されたすべての前記信号の受入れを拒否する前記受入制限レベルを解除した場合に、前記通信回線に当該画像形成装置の識別情報を通知する識別情報通知手段をさらに備えたことを特徴とする請求項１４記載の画像形成装置である。
【発明の効果】
【００１１】
本発明の請求項１によれば、本発明を採用しない場合に比べて、通信回線に接続された機器での消費電力を低減することができる。
本発明の請求項２によれば、本発明を採用しない場合に比べて、消費電力の低減を図りながらセキュリティレベルの異なる複数の通信モードを設定できる。
本発明の請求項３によれば、本発明を採用しない場合に比べて、制御部が起動されることがなく、消費電力を低く維持できる。
本発明の請求項４によれば、本発明を採用しない場合に比べて、ある程度の高いセキュリティ性が確保されるとともに、例えばパケットが複合された旨の通知を受けた場合に制御部に対する電源部からの電力供給を開始することで、消費電力を低減できる。
本発明の請求項５によれば、例えばスリープモードにて、例えば通信部の機能部への電力供給は行われるので、接続される例えば画像形成装置の電力消費量を低減しながら、印刷ジョブに対応できる。
本発明の請求項６によれば、信号の受信頻度が時間帯毎に異なることに対応させて受入制限レベルを設定するので、本発明を採用しない場合に比べて、通信回線に接続された機器での消費電力を低減しながら、通信回線を介して受信される信号に対するセキュリティ機能を強化することができる。
本発明の請求項７によれば、通信回線を介して受信される信号に対する通信回線に接続された機器の使用頻度等といった機器の使用状況に応じたレベルのセキュリティ機能を設定することができる。
【００１２】
本発明の請求項８によれば、認証されたユーザだけが受入制限レベルの設定変更を行うことができるので、本発明を採用しない場合に比べて、通信回線を介して信号を受信する機器におけるセキュリティ機能を高く維持することができる。
本発明の請求項９によれば、通信回線を介して信号を受信する機器における情報の漏洩の可能性を検証することができる。
【００１３】
本発明の請求項１０によれば、本発明を採用しない場合に比べて、通信回線に接続された機器での消費電力を低減することができる。
本発明の請求項１１によれば、信号の受信頻度が時間帯毎に異なることに対応させて受入制限レベルを設定するので、本発明を採用しない場合に比べて、通信回線に接続された機器での消費電力を低減しながら、通信回線を介して受信される信号に対するセキュリティ機能を強化することができる。
本発明の請求項１２によれば、認証されたユーザだけが受入制限レベルの設定変更を行うことができるので、本発明を採用しない場合に比べて、通信回線を介して信号を受信する機器におけるセキュリティ機能を高く維持することができる。
本発明の請求項１３によれば、通信回線を介して信号を受信する機器における情報の漏洩の可能性を検証することができる。
【００１４】
本発明の請求項１４によれば、本発明を採用しない場合に比べて、通信回線に接続された機器での消費電力を低減することができる。
本発明の請求項１５によれば、本発明を採用しない場合に比べて、画像形成装置での省電力状態を維持するとともに、通信回線を介して送信される信号を受信する際の画像形成装置のセキュリティ機能を強化することができる。
【００１５】
本発明の請求項１６によれば、画像形成装置の使用状況に応じて通信回線を介して受信される信号に対する受入制限が設定でき、本発明を採用しない場合に比べて、画像形成装置での消費電力を低減しながら、通信回線を介して受信される信号に対するセキュリティ機能を強化することができる。
本発明の請求項１７によれば、画像形成装置での信号の受信頻度が時間帯毎に異なることに対応させて受入制限レベルを設定するので、本発明を採用しない場合に比べて、通信回線に接続された機器での消費電力を低減しながら、通信回線を介して受信される信号に対するセキュリティ機能を強化することができる。
本発明の請求項１８によれば、信号の受入拒否を行っている間に画像形成装置自身の識別情報が変更されている場合に、通信回線に接続された機器に対して識別情報を通知することができる。
【発明を実施するための最良の形態】
【００１６】
以下、添付図面を参照して、本発明の実施の形態について詳細に説明する。
図１は、本実施の形態の画像形成装置が接続される通信システムの一例を示す概略構成図である。図１に示した通信システムでは、例えばユーザの作業スペース(例えば、デスク)等に設置された外部装置の一例であるクライアント装置２Ａ〜２Ｃ(以下、単に「クライアント装置２」とも総称する)と、クライアント装置２Ａ〜２Ｃにて生成・保存等された画像データに基づき記録紙等の媒体(用紙)上に画像を形成する画像形成装置の一例である画像形成装置３Ａ〜３Ｃ(以下、単に「画像形成装置３」とも総称する)とが、通信回線の一例であるＬＡＮ(Local Area Network)、ＷＡＮ(Wide Area Network)、インターネット等のネットワーク１を介して双方向に通信可能に接続されている。通信回線としては、電話回線や衛星通信回線(例えば、デジタル衛星放送における空間伝送路)を含んでもよい。
また、ネットワーク１は、中継装置の一例であるゲートウェイ４を介して外部ネットワーク５に接続されている。
なお、ネットワーク１上には通常、複数のクライアント装置２と複数の画像形成装置３とが接続可能であるが、図１に示した構成では、その一例として、それぞれ３台のクライアント装置２Ａ〜２Ｃと３台の画像形成装置３Ａ〜３Ｃとが接続されている場合を示している。
【００１７】
ネットワーク１に接続されるクライアント装置２は、例えばパーソナルコンピュータ(ＰＣ)が用いられ、文書や図形、写真等からなる画像データを作成・保存する。そして、クライアント装置２は、作成された画像データや保存された画像データを印刷するに際し、画像データを画像形成装置３Ａ〜３Ｃの何れかに対する印刷命令である印刷ジョブに変換して出力する。この印刷ジョブを構成するデータ(印刷ジョブデータ)は、画像データに加えて、各種印刷機能の設定や印刷を行う画像形成装置３Ａ〜３Ｃの何れかの指定等を行うための情報である属性データを含んで構成される。
クライアント装置２から出力された印刷ジョブは、ネットワーク１を介して画像形成装置３Ａ〜３Ｃの何れかに送信される。
【００１８】
次に、画像形成装置３の構成について説明する。
図２は、本実施の形態の画像形成装置３の構成を説明するブロック図である。図２に示したように、画像形成装置３は、予め定められた処理プログラムに従って画像形成装置３全体の動作を制御する制御部１０、ネットワーク１との間の通信を行う通信部２０を備えている。また、ネットワーク１を介してクライアント装置２から送信される印刷ジョブの解析や印刷ジョブに含まれる画像データに対する各種処理を施す画像処理部３０、画像処理部３０にて各種処理等を行う際の作業用メモリとして用いられる画像処理用記憶部３１、画像処理部３０にて各種処理が施された画像データに基づいて用紙上に画像を形成する画像出力部３２を備えている。画像出力部３２としては、例えば電子写真方式の画像形成エンジンが用いられる。また、画像処理部３０および画像出力部３２、さらには必要に応じて他の機能部が画像形成部として機能する。
【００１９】
ここで、通信部２０および画像処理部３０は、外部バス４１に接続されている。また、制御部１０は、外部バス４１とバスブリッジ４３を介して接続されている。それにより、制御部１０、通信部２０、および画像処理部３０は、外部バス４１およびバスブリッジ４３を介して相互に信号の送受信を行う。
さらに、画像形成装置３は、商用電源から供給される例えば１００Ｖの電力を所定の電圧(例えば、２４Ｖ,１２Ｖ,５Ｖ)に変換する電源部の一例としての電源部５０を備え、電源部５０から各機能部に対して所定の電圧の電力が供給される。また画像形成装置３は、各種のプログラムや画像データ等の各種のデータが記憶される外部記憶部６０を備えている。
【００２０】
制御部１０は、制御部の一例であって、図２に示したように、画像形成装置３全体を制御する際の演算処理を行うＣＰＵ(Central Processing Unit)１０１、ＣＰＵ１０１にて実行される処理プログラム等が格納されるＲＡＭ(Random Access Memory)１０２、ＣＰＵ１０１により実行される処理プログラム等にて用いられる設定値等のデータが格納されるＲＯＭ(Read Only Memory)１０３、各種のデータや情報が格納されるＳＲＡＭ(Static Random Access Memory)やフラッシュメモリ等の不揮発性メモリ(ＮＶＭ：Non-Volatile Memory)１０４、キーボードやタッチパネル等といったユーザからの各種入力を受け付ける入力装置(不図示)や液晶ディスプレイ等の表示装置(不図示)等とのデータの送受信を行うインターフェース(Ｉ/Ｆ)１０５を備えている。そして、これらはバスブリッジ４３に接続された内部バス４２を介して相互に接続されている。
【００２１】
制御部１０にて実行される処理プログラムは、例えば外部記憶部６０としてのハードディスク(ＨＤＤ)等から、例えば画像形成装置３の立ち上げ時等に、ＲＡＭ１０２にロードされて提供される。また、その他の提供形態としては、予めＲＯＭ１０３に格納され、ＲＯＭ１０３からＲＡＭ１０２にロードされて提供される形態がある。さらに、ＥＥＰＲＯＭ等の書き換え可能なＲＯＭ１０３を備えている場合には、制御部１０がアッセンブリされた後に、プログラムだけが提供されてＲＯＭ１０３にインストールされ、ＲＯＭ１０３からＲＡＭ１０２にロードされて提供される形態がある。また、インターネット等のネットワークを介して制御部１０にプログラムが伝送され、制御部１０のＲＡＭ１０２にインストールされる形態がある。さらには、ＣＤ−ＲＯＭ等の記憶媒体に格納された状態にて提供される形態がある。
【００２２】
また制御部１０は、信号処理部の一例でもあって、通信部２０がネットワーク１を介して受信した信号(パケット)を処理する。例えば、受信したパケットが印刷ジョブに関するものである場合には、これを画像処理部３０に送る。また、受信したパケットが制御部１０にて処理の必要のないパケットである場合には、制御部１０はそのパケットを破棄する等の処理を行う。
【００２３】
さらに制御部１０は、画像形成装置３の動作モードを制御する。図３は、本実施の形態の画像形成装置３にて設定される動作モードを説明する図である。図３に示したように、各画像形成装置３には、動作時の省電力効果を高めるために、動作モードとして「画像形成動作モード」と「スタンバイモード」と「低電力モード」と「スリープモード」とが選択的に設定される。
画像形成動作モードは、画像出力部３２にて画像データに関する用紙上への画像形成動作を実行している動作状態である。またスタンバイモードは、画像データの入力に対してオンデマンドに対応する動作状態であって、画像データの入力に応じて画像形成動作モードに移行する。画像形成動作モードやそれに準ずるスタンバイモードでは、電源部５０から画像形成装置３内のすべての機能部に電力が供給され、画像形成動作のための電力や、画像データ等の入力に対してオンデマンドに対応するための電力が供給される。
【００２４】
低電力モードは、例えば第１の期間が経過しても画像データ等の入力がない場合に設定される動作状態である。低電力モードでは、電源部５０から画像出力部３２の少なくとも画像形成エンジン(例えば定着器等を含む画像形成動作を行う機能部)への電力供給が停止される。一方、制御部１０や通信部２０等といった画像出力部３２の画像形成エンジン以外の機能部への電力供給は継続される。
また、スリープモードは、第１の期間よりも長い時間である第２の期間が経過しても画像データ等の入力がない場合に設定される動作状態である。スリープモードでは、電源部５０から通信部２０への電力供給だけが継続され、制御部１０のＣＰＵ１０１を含めたその他の機能部への電力供給が停止される。それにより、スリープモードでは低電力モードよりも高い省電力効果が得られる。
【００２５】
続いて、通信部２０は、通信部および通信装置の一例であって、信号の送受信を行う送受信部２１、アナログ信号をデジタル信号に変換するＡ/Ｄ変換部２２、送受信するパケットに対して所定の処理を行うパケット処理部２３、画像形成装置３自身の識別情報(アドレス情報)を記憶するアドレス情報記憶部２４、暗号化されたパケットを復号する暗号処理部２５、パケットを一時的に記憶するパケット記憶部２６、デジタル信号をアナログ信号に変換するＤ/Ａ変換部２７を備えている。
送受信部２１は、受信部(受信手段)の一例であって、ネットワーク１と接続され、ネットワーク１から送信される信号を受信する。そして、受信した信号をＡ/Ｄ変換部２２に送る。また、Ｄ/Ａ変換部２７によりアナログ化された信号をネットワーク１を介して送信先に信号を送信する。
Ａ/Ｄ変換部２２は、信号(パケット)の受入処理を行う受入処理手段の一例であって、送受信部２１がネットワーク１から受信した信号をアナログ信号からデジタル信号に変換する。それにより、アナログ信号を“０”、“１”で表されたデータ列からなるパケットに変換してパケット処理部２３に送る。
【００２６】
パケット処理部２３は、信号(パケット)の受入処理を行う受入処理手段の一例であって、Ａ/Ｄ変換部２２から取得したパケットの宛先アドレスが、アドレス情報記憶部２４に記憶された画像形成装置３自身のＭＡＣ(Medium Access Control)アドレス等のアドレス情報(識別情報)と一致するか否かを判定する。そして、宛先アドレスが画像形成装置３自身のＭＡＣアドレスと一致しないパケットは破棄する。
またパケット処理部２３は、宛先アドレスが画像形成装置３自身のＭＡＣアドレスと一致するパケットをパケット記憶部２６に送り、一旦記憶する。
さらにパケット処理部２３は、パケット記憶部２６に記憶されたパケットが暗号処理部２５にて復号された場合に、暗号処理部２５にて復号されたパケットをパケット記憶部２６から読み出し、制御部１０に送る。ここでのパケット処理部２３は、信号(パケット)を転送する信号転送手段として機能する。
【００２７】
加えて、パケット処理部２３は、制御部１０にて作成されたパケットにアドレス情報記憶部２４に記憶された画像形成装置３自身のＭＡＣアドレス等のアドレス情報等を付加する処理を行う。また、必要に応じて、制御部１０にて作成されたパケットを暗号処理部２５にて暗号化させる。そして、アドレス情報等が付加され、必要に応じて暗号化されたパケットをＤ/Ａ変換部２７に送る。
【００２８】
暗号処理部２５は、例えばＩＰｓｅｃ(Security Architecture for Internet Protocol)に基づく所定の秘密鍵により暗号化されたパケットを、この秘密鍵と対をなす所定の公開鍵により復号する機能を有する。また、制御部１０にて作成されたパケットをこの秘密鍵により暗号化する機能を有する。
すなわち、暗号処理部２５は、パケット記憶部２６からパケット記憶部２６に記憶された画像形成装置３自身を宛先とするパケットを取得し、所定の公開鍵による復号を試みる。そして、パケットを所定の公開鍵により復号できる場合には、パケットを復号し、復号したパケットをパケット記憶部２６に記憶する。さらに、パケットが復号された旨の通知をパケット処理部２３に行う。一方、パケットを所定の公開鍵により復号できない場合には、パケットが復号されない旨の通知をパケット処理部２３に行う。
また暗号処理部２５は、パケット処理部２３からの指示に従い、制御部１０にて作成されたパケットを所定の秘密鍵により暗号化する。
【００２９】
Ｄ/Ａ変換部２７は、パケット処理部２３から取得したパケットをデジタル信号からアナログ信号に変換する。そして、アナログ化された信号を送受信部２１に送る。
【００３０】
本実施の形態の画像形成装置３では、動作モードとしてスリープモードを設定した場合に、消費電力の低減を図り、かつ、ネットワーク１を介して送信される信号を受信する際のセキュリティを確保するために、通信部２０にセキュリティレベルの異なる複数の通信モードを設定する。すなわち、送受信部２１にて受信された信号の受入れを複数段階に制限する受入制限レベルの異なる通信モードを設定する。そして、画像形成装置３は、通信部２０にて設定する複数の通信モードの一例として、最もセキュリティレベルの高い「通信禁止モード」、中程度にセキュリティレベルが高い「暗号通信モード」、最もセキュリティレベルの低い「スリープ通信モード」の３段階を適用する。そして、受入制限設定手段の一例である制御部１０が、この「通信禁止モード」、「暗号通信モード」、および「スリープ通信モード」の中の何れか一つを画像形成装置３の使用頻度(画像形成部での画像形成頻度)に応じて選択し、選択した各通信モードに対応させて、通信部２０における信号の受信設定を変更する。
【００３１】
制御部１０は、画像形成装置３の使用頻度を例えば時間帯により区分する。例えば、画像形成装置３の使用頻度に応じて１日を３つの時間帯に区分する。具体例として、画像形成装置３が設置されたオフィス等が無人となり、画像形成装置３の使用頻度が極めて少なくなる例えば２３時〜翌朝７時を第１の時間帯とする。また、画像形成装置３の使用頻度が比較的少ない例えば７時〜９時と２１時〜２３時とを第２の時間帯とする。さらには、画像形成装置３の使用が比較的多い例えば９時〜２１時を第３の時間帯とする。
そして、制御部１０は、動作モードとしてスリープモードが設定された場合の通信部２０において、それぞれの時間帯毎にセキュリティレベルの異なる通信モードを設定する。図４は、時間帯毎に通信部２０に設定される通信モードの一例を示した図である。図４に示したように、例えば、第１の時間帯にてスリープモードが設定された場合には、制御部１０は、通信部２０での通信モードを最もセキュリティレベルの高い通信禁止モードに設定する。また、第２の時間帯にてスリープモードが設定された場合には、制御部１０は、通信部２０での通信モードを中程度にセキュリティレベルの高い暗号通信モードに設定する。さらに、第３の時間帯にてスリープモードが設定された場合には、制御部１０は、通信部２０での通信モードを最もセキュリティレベルの低いスリープ通信モードに設定する。
【００３２】
なお、この場合には、各時間帯をユーザが設定/変更できるように構成してもよい。また、曜日により異なる時間帯を設定してもよい。特に、休日祝日には異なる時間帯を設定してもよい。その際に、ＲＴＣ(Real Time Clock)と国識別コードとに基づいて制御部１０が自動的に曜日や休日を判別するように構成してもよい。
【００３３】
引き続いて、通信部２０にて設定される各通信モードについて説明する。
まず、第１の時間帯(２３時〜翌朝７時)に設定される通信禁止モードについて述べる。第１の時間帯(２３時〜翌朝７時)は、画像形成装置３の使用頻度が極めて少なく、印刷ジョブが送信されることは稀な時間帯である。その一方で、ネットワーク１を介して例えばＳＮＭＰ(Simple Network Management Protocol)を用いた画像形成装置３のステータス情報を送信要求するポーリングパケット等は送信される。ここでのステータス情報とは、画像形成装置３に設定されている用紙のサイズや種類、現像剤の残量情報等といった画像形成を行うに際して必要となる各種情報をいう。加えて、第１の時間帯は、画像形成装置３が設置されたオフィス等が無人となるため、例えば画像形成装置３内の外部記憶部６０から画像データ等を漏洩させる機能や、外部記憶部６０内の画像データ等を改ざん・消去させる機能等を備えたソフトウェアを含むパケット等に対して無防備な時間帯でもある。
そこで、第１の時間帯(２３時〜翌朝７時)においては、制御部１０は、スリープモードが設定された場合の通信部２０での通信モードを、ネットワーク１と通信部２０とを遮断し、すべてのパケットの受入れを禁止する通信禁止モードに設定する。
【００３４】
すなわち、通信禁止モードでは、通信部２０に設けられたＡ/Ｄ変換部２２への電力供給が停止される。それにより、送受信部２１にて受信されたすべての信号は、Ａ/Ｄ変換部２２にてデジタル信号に変換されず、受信された信号はパケット処理部２３やそれ以降の機能部には送られることはない。その結果、通信部２０とネットワーク１との間が遮断されることとなる。それによって、動作モードとしてスリープモードが設定された状態において、例えばＳＮＭＰを用いたポーリングパケット等の処理の必要のないパケットが送信されたとしても、制御部１０(ＣＰＵ１０１)が起動されることがなく、画像形成装置３の消費電力は低く維持される。
また、画像データ等の漏洩機能や画像データ等を改ざん・消去機能等を備えたソフトウェアを含むパケット等に関しても一切受け入れないので、高いセキュリティ性が確保される。
なお、Ａ/Ｄ変換部２２にて信号を遮断するに際しては、Ａ/Ｄ変換部２２にクロックを供給するクロック回路への電力供給を停止してもよい。
【００３５】
次に、暗号化モードが設定される第２の時間帯(７時〜９時と２１時〜２３時)は、ネットワーク１を介して送信される印刷ジョブは比較的少ない。その一方で、例えばＳＮＭＰを用いた画像形成装置３のステータス情報を送信要求するポーリングパケット等は送信される。
そこで、第２の時間帯(７時〜９時と２１時〜２３時)においては、制御部１０は、スリープモードが設定された場合の通信部２０での通信モードを、暗号化された信号だけを受け入れる暗号化モードに設定する。
【００３６】
すなわち、暗号化モードでは、通信部２０内への電力供給を行い、Ａ/Ｄ変換部２２、パケット処理部２３、および暗号処理部２５等の機能部を稼動させる。それにより、暗号処理部２５に備えられた所定の公開鍵と対をなす秘密鍵により暗号化されたパケットを送信する特定のクライアント装置２からの信号は受け入れられる。その一方で、暗号処理部２５に備えられた所定の公開鍵と対をなす秘密鍵により暗号化されていないパケットは受け入れられない。それによって、ある程度の高いセキュリティ性が確保されるとともに、特定のクライアント装置２からの印刷ジョブだけは実行される。
【００３７】
図５は、制御部１０が通信部２０に暗号通信モードを設定した場合に、通信部２０にて行われるパケット処理の手順の一例を示したフローチャートである。暗号通信モードが設定された通信部２０では、送受信部２１にて信号を受信すると(ステップ１０１)、受信された信号は、Ａ/Ｄ変換部２２にてデジタル化されたデータ列からなるパケットに変換される(ステップ１０２)。そして、パケットはパケット処理部２３に送られる(ステップ１０３)。
パケット処理部２３は、取得したパケットについてパケットのＭＡＣヘッダに記述された宛先ＭＡＣアドレスがアドレス情報記憶部２４に記憶された画像形成装置３自身のＭＡＣアドレスと一致するか否かを判定する(ステップ１０４)。そして、パケットの宛先ＭＡＣアドレスが画像形成装置３自身のＭＡＣアドレスと一致した場合には(ステップ１０５)、そのパケットをパケット記憶部２６に記憶する(ステップ１０６)。一方、パケットの宛先ＭＡＣアドレスが画像形成装置３自身のＭＡＣアドレスと一致しない場合には(ステップ１０５)、そのパケットを破棄する(ステップ１０７)。
【００３８】
次に、パケットがパケット記憶部２６に記憶されると、暗号処理部２５は、パケット記憶部２６に記憶されたパケットを読み出す(ステップ１０８)。そして、暗号処理部２５は、所定の公開鍵を用いてパケットの復号を試みる(ステップ１０９)。パケットが所定の公開鍵により復号できる場合には(ステップ１１０)、パケットを復号し、復号されたパケットをパケット記憶部２６に記憶する(ステップ１１１)。さらに、パケット処理部２３に対してパケットが復号された旨を通知する(ステップ１１２)。一方、パケットを所定の公開鍵により復号できない場合には(ステップ１１０)、パケット処理部２３に対してパケットが復号されない旨を通知する(ステップ１１３)。
【００３９】
ステップ１１２にてパケットが復号された旨の通知を受けた場合には、パケット処理部２３は、制御部１０(ＣＰＵ１０１)に対する電源部５０からの電力供給の開始を指示する復帰指示信号を生成し、制御部１０をスリープモードから復帰させる(ステップ１１４)。制御部１０をスリープモードから復帰した後、パケット処理部２３は、パケット記憶部２６から復号されたパケットを読み出し(ステップ１１５)、読み出したパケットを制御部１０に送る(ステップ１１６)。制御部１０では、送られたパケットに対する所定の処理が行われる。例えば、パケットが印刷ジョブであった場合には、画像処理部３０にパケット(印刷ジョブ)を送る。
一方、ステップ１１３にてパケットが復号されない旨の通知を受けた場合には、パケット処理部２３は、パケット記憶部２６から記憶されたパケットを消去する(ステップ１１７)。
【００４０】
続いて、スリープ通信モードが設定される第３の時間帯(９時〜２１時)は、例えばＳＮＭＰを用いた画像形成装置３のステータス情報を送信要求するポーリングパケット等も送信されるが、画像形成装置３の使用頻度が高く画像形成装置３に対する印刷ジョブが多く送信される。
そこで、第３の時間帯(９時〜２１時)においては、制御部１０は、スリープモードが設定された場合の通信部２０での通信モードを、画像形成装置３宛に送信されるすべての信号を受け入れるスリープ通信モードに設定する。
【００４１】
すなわち、スリープ通信モードでは、暗号処理部２５を除く通信部２０内のすべての機能部への電力供給を行い、暗号処理部２５以外の機能部を稼動させる。それにより、パケット処理部２３は、宛先ＭＡＣアドレスがアドレス情報記憶部２４に記憶された画像形成装置３自身のＭＡＣアドレスと一致するパケットはすべて制御部１０に送る。それによって、通信部２０は、特定のクライアント装置２から送信された所定の秘密鍵により暗号化されたパケットに加えて、ネットワーク１に接続されたクライアント装置２から送信された暗号化されていないパケットや、ポーリングパケット等も受け入れる。
【００４２】
このように、スリープ通信モードにおいては、画像形成装置３宛に送信されるクライアント装置２からのパケットをすべて受け入れる。しかし、第３の時間帯(９時〜２１時)は、画像形成装置３の使用頻度が高く画像形成装置３にてスリープモードが設定される時間は少ない。また、画像形成装置３に対して送信されるクライアント装置２からのパケットが印刷ジョブである可能性も高い。そのため、画像形成装置３にてスリープモードが設定された場合に、画像形成装置３に対して送信されるクライアント装置２からの信号をすべて受け入れたとしても、それが電力消費量を増加させる要因とはなり難い。その一方で、例えば第３の時間帯においても暗号通信モードを設定して暗号化されたパケットだけを受け入れるとすると、画像形成装置３の使用頻度が高いことから、復号するパケットの量が多くなって処理時間が長くなる。さらには、暗号処理部２５での電力消費が増加する要因ともなる。そこで、第３の時間帯においてスリープモードが設定された場合には、通信部２０にスリープ通信モードを設定している。この場合には、動作モードがスリープモードに設定されることによって、画像形成装置３での電力消費量が低減される。
【００４３】
図６は、制御部１０が通信部２０にスリープ通信モードを設定した場合に、通信部２０にて行われるパケット処理の手順の一例を示したフローチャートである。スリープ通信モードが設定された通信部２０では、送受信部２１にて信号を受信すると(ステップ２０１)、受信された信号は、Ａ/Ｄ変換部２２にてデジタル化されたデータ列からなるパケットに変換される(ステップ２０２)。そして、パケットはパケット処理部２３に送られる(ステップ２０３)。
パケット処理部２３は、取得したパケットについてパケットのＭＡＣヘッダに記述された宛先ＭＡＣアドレスがアドレス情報記憶部２４に記憶された画像形成装置３自身のＭＡＣアドレスと一致するか否かを判定する(ステップ２０４)。そして、パケットの宛先ＭＡＣアドレスが画像形成装置３自身のＭＡＣアドレスと一致した場合には(ステップ２０５)、そのパケットをパケット記憶部２６に記憶する(ステップ２０６)。一方、パケットの宛先ＭＡＣアドレスが画像形成装置３自身のＭＡＣアドレスと一致しない場合には(ステップ２０５)、そのパケットを破棄する(ステップ２０７)。
【００４４】
次に、パケットがパケット記憶部２６に記憶されると、パケット処理部２３は、制御部１０(ＣＰＵ１０１)に対する電源部５０からの電力供給の開始を指示する復帰指示信号を生成し、制御部１０をスリープモードから復帰させる(ステップ２０８)。制御部１０がスリープモードから復帰した後、パケット処理部２３は、パケット記憶部２６からパケットを読み出し(ステップ２０９)、読み出したパケットを制御部１０に送る(ステップ２１０)。ここでのパケット処理部２３は、信号(パケット)を転送する信号転送手段として機能する。制御部１０では、送られたパケットに対する所定の処理が行われる。例えば、パケットが印刷ジョブであった場合には、画像処理部３０にパケット(印刷ジョブ)を送る。また、パケットが暗号化されたものであった場合には、制御部１０が所定の公開鍵により復号する。
【００４５】
上記のように、本実施の形態の画像形成装置３では、動作モードがスリープモードに設定された場合に、通信部２０において画像形成装置３の使用頻度に対応させた時間帯別にセキュリティレベルの異なる複数の通信モードを設定する。それにより、画像形成装置３での消費電力の低減を図り、かつ、ネットワーク１を介して送信される信号を受信する際の画像形成装置３のセキュリティを確保している。
なお、制御部１０が通信部２０に設定する通信モードは「通信禁止モード」、「暗号通信モード」、および「スリープ通信モード」に限定されるものではなく、信号の受信設定の異なる如何なる通信モードを設定してもよい。
【００４６】
ところで、本実施の形態の制御部１０では、画像形成装置３の使用頻度を例えば時間帯により区分し、通信部２０において区分された各時間帯に対応させた各通信モードを設定する場合について説明した。しかし、各通信モードを画像形成装置３の使用頻度に対応させる方法としては、例えば画像形成装置３が自身宛に送信される印刷ジョブの送信頻度を計測し、計測された印刷ジョブの送信頻度に応じて通信部２０での通信モードの設定を変更するように構成してもよい。例えば、印刷ジョブの送信頻度が高い状況下では、スリープモードが設定された場合に通信部２０をスリープ通信モードに設定する。その一方で、印刷ジョブが例えば１時間に亘って送信されないようなスリープモードが継続された場合には、通信部２０を通信禁止モードに設定する。
【００４７】
また、制御部１０が通信部２０を通信禁止モードや暗号通信モードに設定する際には、ネットワーク１に接続されたクライアント装置２に対して、制御部１０が通信禁止モードや暗号通信モードを設定する旨の通知を行うように構成してもよい。それにより、例えば通信禁止モードが設定されている場合には、クライアント装置２にて画像形成装置３が印刷ジョブを受け入れないことが把握され、通信禁止モードの設定時間を回避した印刷ジョブの送信が行われる。また、例えば暗号通信モードが設定されている場合には、クライアント装置２にて画像形成装置３は暗号化された印刷ジョブのみの受入れしか行わないことが把握され、クライアント装置２は所定の秘密鍵により暗号化した印刷ジョブの送信を行うこととなる。
【００４８】
また、クライアント装置２から画像形成装置３の制御部１０に対して通信禁止モードや暗号通信モードを設定指示するように構成してもよい。その場合には、画像形成装置３の制御部１０は、例えばユーザ名やパスワードの入力によるユーザ認証を条件として、通信禁止モードや暗号通信モードの設定指示を受け入れるようにしてもよい。
さらには、画像形成装置３のタッチパネル等の入力装置(不図示)からの入力により、通信禁止モードまたは暗号通信モードの強制的な設定や、通信禁止モードまたは暗号通信モードからスリープ通信モードへの強制的な変更を行うように構成してもよい。その場合にも、制御部１０は、例えばユーザ名やパスワードの入力によるユーザ認証を条件として、通信禁止モードや暗号通信モードの設定/変更の入力を受け付けるようにしてもよい。また、セキュリティカード等によるユーザ認証を条件として、通信禁止モードや暗号通信モードの設定/変更の入力を受け付けるようにしてもよい。
上記のようなユーザ認証は、ユーザ認証手段の一例として機能する制御部１０が行う。
そして、クライアント装置２からの通信禁止モードや暗号通信モードの設定指示、入力装置(不図示)からの通信禁止モードまたは暗号通信モードの強制的な設定や通信禁止モードまたは暗号通信モードからスリープ通信モードへの強制的な変更が行われた場合には、セキュリティ確保の観点から、設定指示等が行われた時間、設定/変更の内容、ユーザ名等の履歴情報を制御部１０のＮＶＭ１０４にログ(log)として記憶しておくように構成してもよい。その場合には、やはりセキュリティ確保の観点から、ＮＶＭ１０４に記憶されたログ(履歴情報)は、ネットワーク１の管理権限を有するユーザのみに開示され、管理権限を有するユーザのみがログを消去するように構成してもよい。
【００４９】
また、画像形成装置３にファクシミリ機能や複写機能が備えられている場合には、通信部２０に設定される通信モードに対応させてファクシミリ機能や複写機能の動作制限を行うように構成してもよい。例えば通信部２０に通信禁止モードが設定されている場合には、ファクシミリ機能や複写機能の動作を停止するように設定する。
【００５０】
また、通信部２０が通信禁止モードから暗号通信モードやスリープ通信モードに復帰する際に、識別情報通知手段として機能する制御部１０が、通信部２０からネットワーク１に自明のＡＲＰ(Address Resolution Protocol)パケットを送信するように構成してもよい。すなわち、画像形成装置３自身の識別情報の一例であるＩＰ(Internet Protocol)アドレスから識別情報の一例であるＭＡＣアドレスを求めるためのＡＲＰパケットをネットワーク１に送信することで、画像形成装置３自身が画像形成装置３自身に対してＭＡＣアドレスを返信する。それにより、ネットワーク１上のクライアント装置２は、ネットワーク１を介して送信されたＡＲＰパケットを読み取る。そして、画像形成装置３のＭＡＣアドレスが変更されている場合には、クライアント装置２にて画像形成装置３のＭＡＣアドレスの書き換えを行う。
さらに、通信部２０が通信禁止モードから暗号通信モードやスリープ通信モードに復帰する際に、識別情報通知手段として機能する制御部１０が、通信部２０からネットワーク１に接続されたゲートウェイ４に対してゲートウェイ４のＩＰアドレスを記述したＡＲＰパケットを送信するように構成してもよい。すなわち、ゲートウェイ４のＭＡＣアドレスを求めるためのＡＲＰパケットをネットワーク１に送信することで、ゲートウェイ４が画像形成装置３に対してゲートウェイ４のＭＡＣアドレスを返信する。その際に、ゲートウェイ４がＡＲＰパケットに記述された画像形成装置３のＭＡＣアドレスおよびＩＰアドレスを読み取ることで、ゲートウェイ４内のＡＲＰテーブルが書き換えられる。
【００５１】
以上説明したように、本実施の形態の画像形成装置３では、動作モードとしてスリープモードを設定した場合に、画像形成装置３の使用頻度に対応させて、通信部２０にセキュリティレベルの異なる複数の通信モードを設定する。それにより、画像形成装置３での消費電力の低減を図り、かつ、ネットワーク１を介して送信される信号を受信する際の画像形成装置３のセキュリティを確保している。
【図面の簡単な説明】
【００５２】
【図１】本実施の形態の画像形成装置が接続される通信システムの一例を示す概略構成図である。
【図２】画像形成装置の構成を説明するブロック図である。
【図３】画像形成装置にて設定される動作モードを説明する図である。
【図４】時間帯毎に通信部に設定される通信モードの一例を示した図である。
【図５】制御部が通信部に暗号通信モードを設定した場合に、通信部にて行われるパケット処理の手順の一例を示したフローチャートである。
【図６】制御部が通信部にスリープ通信モードを設定した場合に、通信部にて行われるパケット処理の手順の一例を示したフローチャートである。
【符号の説明】
【００５３】
１…ネットワーク、２(２Ａ〜２Ｃ)…クライアント装置、３(３Ａ〜３Ｃ)…画像形成装置、４…ゲートウェイ、１０…制御部、２０…通信部、２１…送受信部、２２…Ａ/Ｄ変換部、２３…パケット処理部、２４…アドレス情報記憶部、２５…暗号処理部、２６…パケット記憶部、２７…Ｄ/Ａ変換部、３０…画像処理部、３２…画像出力部、１０１…ＣＰＵ、１０２…ＲＡＭ、１０３…ＲＯＭ、１０４…ＮＶＭ、１０５…インターフェース(Ｉ/Ｆ)
【図１】
0005239482.tif 000002
【図２】
0005239482.tif 000003
【図３】
0005239482.tif 000004
【図４】
0005239482.tif 000005
【図５】
0005239482.tif 000006
【図６】
0005239482.tif 000007